(57)【要約】【課題】小型記録媒体に記録された撮影画像の破壊を回避し、新しい撮影画像を容易にプリント出力することができる画像データ取得装置、および画像データ取得方法を提供することを目的とする。【解決手段】第１のインタフェース部を介してアクセスされる、複数の画像データが記録される第１のメモリと、第２のインタフェース部を介してアクセスされる、読み取り済みの画像データ、および、出力済みの画像データを示す処理情報が記録される第２のメモリとを備えた記録媒体が装填される媒体装填部と、第２のメモリに記録された処理情報を取得する処理情報取得部と、第１のメモリから、処理情報取得部で取得された処理情報に基づいて画像データを選択的に取得する画像データ取得部と、画像データ取得部で取得された画像データを画像出力装置に向けて出力する画像データ出力部と、第２のメモリに記録された処理情報を更新する処理情報更新部とを備えたことを特徴とする。【選択図】        図４
2005267567.tif 000002
【特許請求の範囲】
【請求項１】
複数の画像データが記録される第１のメモリと、該第１のメモリにアクセスするための第１のインタフェース部と、前記第１のメモリに記録された複数の画像データのうち読み取り済みの画像データを示す処理情報、および、該複数の画像データのうちプリント出力済みの画像データを示す処理情報のうち、少なくとも一方の処理情報が記録される第２のメモリと、該第２のメモリにアクセスするための、前記第１のインタフェース部とは異なる第２のインタフェース部とを備えた記録媒体が取り出し自在に装填される媒体装填部と、
前記媒体装填部に装填された記録媒体の第２のメモリに前記第２のインタフェース部を介してアクセスし、該第２のメモリに記録された処理情報を取得する処理情報取得部と、
前記媒体装填部に装填された記録媒体の第１のメモリに前記第１のインタフェース部を介してアクセスし、該第１のメモリから、前記処理情報取得部で取得された処理情報に基づいて画像データを選択的に取得する画像データ取得部と、
前記画像データ取得部で取得された画像データを、画像データに基づく画像をプリント出力する所定の画像出力装置に向けて出力する画像データ出力部と、
前記記録媒体の第２のメモリに前記第２のインタフェース部を介してアクセスし、該第２のメモリに記録された処理情報を更新する処理情報更新部とを備えたことを特徴とする画像データ取得装置。
【請求項２】
前記記録媒体は、アクセス方式が相互に異なる第１のメモリと第２のメモリとを備えたものであることを特徴とする請求項１記載の画像データ取得装置。
【請求項３】
前記第２のメモリは、前記処理情報とともに、前記記録媒体自体に関する固有情報が記録されたＩＣタグであることを特徴とする請求項１記載の画像データ取得装置。
【請求項４】
相互に異なる複数種類の記録媒体それぞれが装填される複数種類の媒体装填部と、
前記記録媒体の第２のメモリに記録された固有情報を取得して、該固有情報が示す記録媒体の種類に対応する媒体装填部を通知する装填通知部とを備えたことを特徴とする請求項３記載の画像データ取得装置。
【請求項５】
複数の画像データが記録される第１のメモリと、該第１のメモリにアクセスするための第１のインタフェース部と、前記第１のメモリに記録された複数の画像データのうち読み取り済みの画像データを示す処理情報、および、該複数の画像データのうちプリント出力済みの画像データを示す処理情報のうち、少なくとも一方の処理情報が記録される第２のメモリと、該第２のメモリにアクセスするための、前記第１のインタフェース部とは異なる第２のインタフェース部とを備えた記録媒体の第２のメモリに前記第２のインタフェース部を介してアクセスし、該第２のメモリに記録された処理情報を取得する処理情報取得過程と、
前記記録媒体の第１のメモリに前記第１のインタフェース部を介してアクセスし、該第１のメモリから、前記処理情報取得過程で取得された処理情報に基づいて画像データを選択的に取得する画像データ取得過程と、
前記画像データ取得過程で取得された画像データを、画像データに基づく画像をプリント出力する所定の画像出力装置に向けて出力する画像データ出力過程と、
前記記録媒体の第２のメモリに前記第２のインタフェース部を介してアクセスし、該第２のメモリに記録された処理情報を更新する処理情報更新過程とを有することを特徴とする画像データ取得方法。
【発明の詳細な説明】
【技術分野】
【０００１】
本発明は、被写体の画像を表わす画像データを取得する画像データ取得装置、および画像データ取得方法に関する。
【背景技術】
【０００２】
従来、デジタルカメラの普及に伴って、撮影画像をデジタル化して扱うことが広範に行われている。撮影画像をデジタル化する利点として、撮影画像にパーソナルコンピュータなどを使って所望の画像処理を施し、撮影画像の不具合を修正することができるという点や、高画質な画像を長期に渡って保存することができるなどという点が挙げられる。
【０００３】
また、デジタル化された撮影画像は、パーソナルコンピュータ等の表示画面上に表示することによって、プリント出力する前に画像を確認することができるという利点もある。この利点を利用した装置として、小型記録媒体に記録された撮影画像を表示画面上に表示して、それぞれの撮影画像ごとにプリント出力枚数やプリントサイズなどの指定を受ける注文受付装置が写真店の店頭などに広範に備えられている。この注文受付装置を使って注文することによって、必要な撮影画像のみを必要な枚数だけプリント出力することができる。
【０００４】
ここで、近年では、小型記録媒体の大容量化が進み、多量の撮影画像を１枚の小型記録媒体に記録することができるようになってきている。このため、デジタルカメラに装填された小型記録媒体には、すでにプリント出力された古い撮影画像と、新たに被写体が撮影されて得られた新しい撮影画像とが混在して記録されていることが多い。従来から広く使用されている注文受付装置では、新しい撮影画像のみをプリント出力したい場合であっても、不必要な古い撮影画像も含めて全ての撮影画像が表示されるため、撮影画像の読み取りに長い時間がかかってしまうという問題や、注文内容の指定作業が煩雑になってしまうという問題がある。
【０００５】
この問題に関し、特許文献１には、デジタルカメラにプリント出力枚数などといった出力情報を編集する機能を搭載し、その出力情報を予め撮影画像といっしょに小型記録媒体に記録しておく技術について記載されている。この技術を適用すると、小型記録媒体を注文受付装置に装填することによって、予め編集しておいた出力情報が読み取られて自動的に注文が受け付けられるため、店頭での注文作業を軽減することができる。しかし、デジタルカメラ等を使って出力情報を編集しておく必要があり、結局は手間がかかってしまうという問題がある。
【０００６】
また、特許文献２には、ラボ（現像所）や写真店において、プリント出力が終了した撮影画像に出力済みマークを付加する技術について記載されている。この特許文献２の技術によると、新しい撮影画像をプリント出力する際には、ユーザが自ら出力情報を編集しなくても、注文受付装置で出力済みマークが付加されていない新しい撮影画像のみが表示されるため、画像の読み取り時間と、注文内容を指定する手間とを大幅に削減することができる。
【特許文献１】特開平１１−１９１８７０号公報
【特許文献２】特開２００２−１０１２８６号公報
【発明の開示】
【発明が解決しようとする課題】
【０００７】
しかし、撮影画像が記録された小型記録媒体に、新たに情報を書き込む場合、誤って撮影画像の上に情報を上書きすること等によって、大切な撮影画像を破壊してしまう恐れがある。このように、ラボや写真店において、ユーザが持ち込んだ小型記録媒体に新たに情報を書き込むことは、撮影画像の破壊を回避するという点から、実現が困難であるという問題がある。
【０００８】
本発明は、上記事情に鑑み、小型記録媒体に記録された撮影画像の破壊を回避し、新しい撮影画像と古い撮影画像とを区別して容易にプリント出力することができる画像データ取得装置、および画像データ取得方法を提供することを目的とする。
【課題を解決するための手段】
【０００９】
上記目的を達成する本発明の画像データ取得部は、複数の画像データが記録される第１のメモリと、第１のメモリにアクセスするための第１のインタフェース部と、第１のメモリに記録された複数の画像データのうち読み取り済みの画像データを示す処理情報、および、複数の画像データのうちプリント出力済みの画像データを示す処理情報のうち、少なくとも一方の処理情報が記録される第２のメモリと、第２のメモリにアクセスするための、第１のインタフェース部とは異なる第２のインタフェース部とを備えた記録媒体が取り出し自在に装填される媒体装填部と、
媒体装填部に装填された記録媒体の第２のメモリに第２のインタフェース部を介してアクセスし、第２のメモリに記録された処理情報を取得する処理情報取得部と、
媒体装填部に装填された記録媒体の第１のメモリに第１のインタフェース部を介してアクセスし、第１のメモリから、処理情報取得部で取得された処理情報に基づいて画像データを選択的に取得する画像データ取得部と、
画像データ取得部で取得された画像データを、画像データに基づく画像をプリント出力する所定の画像出力装置に向けて出力する画像データ出力部と、
記録媒体の第２のメモリに第２のインタフェース部を介してアクセスし、第２のメモリに記録された処理情報を更新する処理情報更新部とを備えたことを特徴とする。
【００１０】
本発明の画像データ取得装置においては、画像データが取得される前に、読み取り済みの画像データが示された処理情報、および、プリント出力済みの画像データが示された処理情報のうち少なくとも一方の処理情報が取得される。例えば、新しい画像データに基づく画像をプリント出力する際には、記録媒体に記録された全ての画像データのうち、処理情報が示す画像データを除く画像データを取得し、古い画像データに基づく画像をプリント出力する際には、処理情報が示す画像データを取得することによって、多くの画像の中から新しい画像や古い画像を指定する煩雑な作業を省いて、所望の画像を容易にプリント出力することができる。また、本発明の画像データ取得装置は、画像データにアクセスするための第１のインタフェースとは異なる第２のインタフェースを介して処理情報にアクセスするため、画像データに処理情報を上書きするなどして画像を破壊してしまうことなく、処理情報を更新することができる。
【００１１】
また、本発明の画像データ取得装置において、上記の記録媒体は、アクセス方式が相互に異なる第１のメモリと第２のメモリとを備えたものであることが好ましい。
【００１２】
アクセス方式が相互に異なる第１のメモリと第２のメモリとが備えられた記録媒体を用いることによって、画像データの破壊を確実に回避することができる。
【００１３】
また、本発明の画像データ取得装置において、上記の第２のメモリは、処理情報とともに、記録媒体自体に関する固有情報が記録されたＩＣタグであることが好適である。
【００１４】
近年、商品の流通、在庫、販売管理等のために、固有情報が記録されたＩＣタグを商品に付与することが行われてきている。将来的には全ての商品にＩＣタグが付与されることが予測されているが、従来は、商品がユーザの手に渡った時点でその役目が終了してしまっている。このＩＣタグを第２のメモリとして再利用することにより、新たにメモリを設ける手間とコストを抑えることができる。
【００１５】
また、本発明の画像データ取得装置は、相互に異なる複数種類の記録媒体それぞれが装填される複数種類の媒体装填部と、
記録媒体の第２のメモリに記録された固有情報を取得して、固有情報が示す記録媒体の種類に対応する媒体装填部を通知する装填通知部とを備えたことが好ましい。
【００１６】
近年では、デジタルカメラで撮影した撮影画像をプリント出力する注文を受け付ける注文受付機が写真店などの店頭に広範に備えられている。撮影画像が記録される記録媒体は、例えば、スマートメディア（登録商標）、ｘＤピクチャーカード（登録商標）、ＳＤメモリカード（登録商標）、コンパクトフラッシュ（登録商標）、メモリスティック（登録商標）、ＣＤ−ＲＯＭなどといったように多種多様にわたっており、注文受付機にも複数種類の記録媒体それぞれに対応した複数の媒体装填部が設けられているため、どの媒体装填部に記録媒体を差し込めばいいのかわかりづらいという問題がある。
【００１７】
本発明の画像データ取得装置によると、記録媒体の第２のメモリに記録された固有情報から記録媒体の種類が取得され、その種類に対応する媒体装填部が通知される。したがって、複数の媒体装填部が設けられていても、迷うことなく記録媒体を装填することができる。
【００１８】
また、上記目的を達成する本発明の画像データ取得方法は、複数の画像データが記録される第１のメモリと、第１のメモリにアクセスするための第１のインタフェース部と、第１のメモリに記録された複数の画像データのうち読み取り済みの画像データを示す処理情報、および、複数の画像データのうちプリント出力済みの画像データを示す処理情報のうち、少なくとも一方の処理情報が記録される第２のメモリと、第２のメモリにアクセスするための、第１のインタフェース部とは異なる第２のインタフェース部とを備えた記録媒体の第２のメモリに前記第２のインタフェース部を介してアクセスし、第２のメモリに記録された処理情報を取得する処理情報取得過程と、
記録媒体の第１のメモリに第１のインタフェース部を介してアクセスし、第１のメモリから、処理情報取得過程で取得された処理情報に基づいて画像データを選択的に取得する画像データ取得過程と、
画像データ取得過程で取得された画像データを、画像データに基づく画像をプリント出力する所定の画像出力装置に向けて出力する画像データ出力過程と、
記録媒体の第２のメモリに第２のインタフェース部を介してアクセスし、第２のメモリに記録された処理情報を更新する処理情報更新過程とを有することを特徴とする。
【００１９】
本発明の画像データ取得方法によると、記録媒体に記録された撮影画像の破壊を回避し、新しい撮影画像と古い撮影画像とを区別して容易にプリント出力することができる。
【００２０】
尚、本発明の画像データ取得方法については、ここではその基本形態のみを示すのにとどめるが、これは単に重複を避けるためであり、本発明にいう画像データ取得方法には、上記の基本形態のみではなく、前述した画像データ取得装置の各形態に対応する各種の形態が含まれる。
【発明の効果】
【００２１】
本発明によれば、小型記録媒体に記録された撮影画像の破壊を回避し、新しい撮影画像と古い撮影画像とを区別して容易にプリント出力することができる画像データ取得装置、および画像データ取得方法を提供することができる。
【発明を実施するための最良の形態】
【００２２】
以下、本発明の実施形態について説明する。
【００２３】
図１は、本発明の一実施形態が適用された注文受付装置の外観構成図である。
【００２４】
注文受付装置１は、記録媒体に記録された画像データに基づく画像をプリント出力する注文を受け付ける装置である。記録媒体に記録される画像データは、画像編集用ソフトウェア等を使って編集された画像データなどでもよいが、説明の便宜上、以下では、デジタルカメラで被写体が撮影されて得られた撮影画像データが記録されているものとして説明を行う。
【００２５】
注文受付装置１には、メニュー画面や撮影画像が表示される、タッチパネル式の表示部１０と、撮影画像を表わす撮影画像データが記録された複数種類（この例では、５種類）の記録媒体それぞれに対応した媒体装填部２１，２２，２３，２４，２５（これらを総称して、媒体装填部２０と称する）、それら媒体装填部２１，２２，２３，２４，２５それぞれの近傍に設けられ、記録媒体が近づけられると点灯する点灯部３１，３２，３３，３４，３５（これらを総称して、点灯部３０と称する）、および、注文内容をプリント出力する受付票プリント口４０とが備えられている。この媒体装填部２０は、本発明における媒体装填部の一例に相当し、点灯部３０は、本発明における装填通知部の一例にあたる。媒体装填部２０に記録媒体が装填されると、記録媒体に記録された撮影画像が読み取られて、撮影画像と予め用意されているメニュー画面とが表示部１０に表示される。オペレータは、メニュー画面に従ってタッチパネルを操作して、撮影画像のプリント枚数やプリントサイズなどを指定する。指定された注文内容を示す注文情報と撮影画像は、画像処理装置２（図３参照）に送られ、その後、プリンタ３（図３参照）に送られる。
【００２６】
図２は、撮影画像が記録される記録媒体の一例を示す図である。
【００２７】
記録媒体２００には、撮影画像が記録される画像用メモリ２１０と、その記録媒体２００の商品名や商品コードなどといった固有情報が記録されたＩＣタグ２２０と、画像用メモリ２１０にアクセスするための画像用端子２１とが設けられている。この画像用メモリ２１０は、本発明にいう第１のメモリの一例に相当し、画像用端子２１１は、本発明にいう第１のインタフェース部の一例に相当する。また、ＩＣタグ２２０には、本発明にいう第２のメモリと第２のインタフェースそれぞれの一例が組み込まれており、記録媒体２００は、本発明にいう記録媒体の一例に相当する。上述したように、本実施形態は５種類の記録媒体２００に対応しており、これらの記録媒体２００ではＩＣタグ２２０の種類は共通であり、画像用メモリ２１０としては、ＣＤ−Ｒ、コンパクトフラッシュ（登録商標）、メモリスティック（登録商標）、ＳＤメモリカード（登録商標）、スマートメディア（登録商標）といった種類のメモリが用いられる。また、この実施形態では、従来から広く用いられている商品管理用のＩＣタグが、本発明にいう第２のメモリの一例として転用されているが、本発明にいう第２のメモリは、小型のＩＣメモリなどを、撮影画像データが記録された記録媒体に新たに設けるものであってもよい。
【００２８】
次に、注文受付装置１の内部構成について説明する。
【００２９】
図３は、注文受付装置１の構成ブロック図である。
【００３０】
注文受付装置１は、注文受付装置１から画像データを取得して、画像データにエッジ強調やハイパートーン処理などといった画像処理を施す画像処理装置２と、画像処理が施された画像データに基づく画像をプリント出力するプリンタ３とが接続されており、図３に示す各種要素の制御を行うとともに、各種プログラムが実行されるＣＰＵ１１０、固定的な定数等が格納されたＲＯＭ１２１、ＣＰＵ１１０で各種プログラムが実行される際の作業領域として使用されるＲＡＭ１２２、画像データが保存される画像メモリ１２３、表示用のサムネイル画像などを生成する拡縮処理部１３０、表示部１０への画像データの出力を制御するディスプレイコントローラ１４０、画像表示用に使用される表示メモリ１２４、図１にも示す表示部１０、タッチパネル式の操作部１１、画像処理装置２やプリンタ３に画像データを出力するネットワークインタフェース１５０、画像データに、画像の不具合を修正する所定の補正処理を施す画像補正処理部１６０、注文内容をプリント出力する伝票印刷プリンタ１７０、図２にも示す記録媒体２００（記録媒体２０１，２０２，２０３，２０４，２０５を総称して、記録媒体２００と称する）の種類に対応して設けられた記録媒体インタフェース部１８０（記録媒体インタフェース部１８１，１８２，１８３，１８４，１８５を総称して、記録媒体インタフェース部１８０と称する）、図１にも示す点灯部３０（点灯部３１，３２，３３，３４，３５）を備えており、それらはバス１９０で接続されている。
【００３１】
図４は、注文受付装置に記録メディアが装填されたときの、記録メディアと記録媒体インタフェース部との接続部分を示す構成図である。
【００３２】
記録メディア２００には、タグ用メモリ２２１と、タグ用インタフェース部２２２とで構成されるＩＣタグ２２０と、図２にも示す画像用メモリ２１０と、画像用端子２１１とが備えられている。画像用端子２１１は、画像用メモリ２１０にアクセスするための画像用メモリアクセス部２１１Ａと、注文受付装置１の記録媒体インタフェース部１８０に画像データを出力するインタフェース部２１１Ｂとで構成されている。また、タグ用インタフェース部２２２は、タグ用メモリ２２１にアクセスするためのタグ用アクセス部２２２Ａと、注文受付装置１の記録媒体インタフェース部１８０にデータを送受信する、アンテナが設けられた無線部２２２Ｂが備えられている。このタグ用メモリ２２１は、本発明にいう第２のメモリの一例にあたり、タグ用インタフェース部２２２は、本発明にいう第２のインタフェース部の一例に相当する。
【００３３】
また、注文受付装置１の記録媒体インタフェース部１８０には、タグ用メモリ２２１にアクセスするためのタグ用アクセス部１８１と、画像用メモリ２１０にアクセスするための画像用アクセス部１８２とで構成されている。タグ用アクセス部１８１は、記録メディア２００の無線部２２２Ｂとの間でデータを送受信する無線部１８１Ｂと、そのデータを注文受付装置１内に送受信するタグ用制御部１８１Ａとを備えている。また、画像用アクセス部１８２は、記録メディア２００のインタフェース部２１１Ｂから画像データが送られてくるインタフェース部１８２Ｂ、および、画像データを注文受付装置１内に取り込む画像用制御部１８２Ａとを備えている。
【００３４】
図５は、画像用メモリおよびタグ用メモリそれぞれに記録されるデータを示す概念図である。
【００３５】
図５のパート（Ａ）は、画像用メモリ２１０に記録されるデータを示す概念図である。画像用メモリ２１０には、複数の撮影画像データ３１２と、複数の撮影画像データ３１２それぞれに付された画像ＩＤ３１１と、それら撮影画像データ３１２が表わす撮影画像が撮影された撮影日時３１３とが記録されている。
【００３６】
図５のパート（Ｂ）は、タグ用メモリ２２１に記録されるデータを示す概念図である。タグ用メモリ２２１には、記録媒体２００の商品番号３２１、商品コード３２２、製造会社名３２３などといった固有情報３２０と、画像用メモリ２１０に記録された撮影画像データ３１２が注文受付装置１によって読み取られた最新読取日３３１と、最新読取日３３１にプリント出力された撮影画像を表わす撮影画像データ３１２の画像ＩＤ３３２とで構成される処理情報３３０が記録されている。固有情報３２０は、本発明にいう固有情報の一例にあたる。
【００３７】
パート（Ａ）に示す画像用メモリ２１０に記録された撮影画像データ３１２のうち、撮影日時３１３が処理情報３３０の最新読取日３３１以前のものは、注文受付装置１によってすでに読み取られた撮影画像データであることがわかる。したがって、最新読取日３３１は、本発明にいう「読み取り済みの画像データを示す処理情報」の一例にあたる。また、画像用メモリ２１０に記録された撮影画像データ３１２のうち、処理情報３３０の画像ＩＤ３３２を有する撮影画像データは、最新読取日３３１にすでにプリント出力された撮影画像データであり、画像ＩＤ３３２は、本発明にいう「プリント出力済みの画像データを示す処理情報」の一例に相当する。この処理情報３３０は、記録媒体２００が注文受付装置１に装填されて、記録媒体２００に記録された撮影画像データ３１２が読み取られるときに更新される。
【００３８】
撮影画像データ３１２を読み取るときには、図３に示すＣＰＵ１１０からの指示によって、図４の画像用アクセス部１８２が記録媒体２００の画像用端子２１１を介して画像用メモリ２１０にアクセスし、撮影画像データ３１２を取得する。また、固有情報３２０や処理情報３３０を読み取るときには、ＣＰＵ１１０からの指示によって、図４のタグ用アクセス部１８１が記録媒体２００のタグ用インタフェース部２２２を介してタグ用メモリ２２１にアクセスし、固有情報３２０や処理情報３３０を取得する。ＣＰＵ１１０と画像用アクセス部１８２とを合わせたものは、本発明における画像データ取得部の一例に相当し、ＣＰＵ１１０とタグ用アクセス部１８１とを合わせたものは、本発明における処理情報取得部の一例に相当する。このように、撮影画像データ３１２と、処理情報３３０とでは、アクセス経路が異なるため、処理情報３３０を更新する場合などでも、撮影画像データ３１２を上書きしてしまうことがなく、撮影画像の破壊が回避される。また、例えば、記録媒体２００としてメモリスティック（登録商標）などのようにＩＣタグとはアクセス方式が異なる記録媒体を使用することによって、撮影画像の破壊をいっそう確実に回避することができる。
【００３９】
画像用アクセス部１８２によって取得された画像データは、画像補正処理部１６０で画像補正処理が施されて、ＣＰＵ１１０からの指示によって、ネットワークインタフェース１５０を介して画像処理装置２やプリンタ３に送られる。ＣＰＵ１１０とネットワークインタフェース１５０とを合わせたものは、本発明における画像データ出力部の一例に相当する。
【００４０】
また、撮影画像データ３１２が読み取られると、ＣＰＵ１１０からの指示によって、タグ用アクセス部１８１を介して処理情報３３０が更新される。ＣＰＵ１１０とタグ用アクセス部１８１とを合わせたものは、本発明における処理情報更新部の一例にも相当する。
【００４１】
ここで、注文受付装置１における本発明の画像データ取得装置としての特徴は、記録媒体が装填されて、その記録媒体に記録された撮影画像データがプリンタ３に向けて出力されるまでの一連の処理にある。
【００４２】
図６は、記録媒体に記録された撮影画像データがプリンタ３に向けて出力されるまでの一連の処理を示すフローチャートである。以下では、このフローチャートに従って説明を行う。
【００４３】
ユーザは、複数の撮影画像が記録された記録媒体２００を写真店に持ち込み、注文受付装置１を使ってプリント出力の注文を行う。記録媒体２００が注文受付装置１に近づけられると、注文受付装置１の内部では、図３に示すＣＰＵ１１０が、図４に示すタグ用アクセス部１８１の無線部１８１ＢにＩＣタグ応答用の信号を出力させる。無線部１８１Ｂは、ＩＣタグ応答用の信号を出力し、記録媒体２００に設けられたＩＣタグ２２０からの応答を監視する（図６のステップＳ１）。
【００４４】
ＩＣタグ２２０からの応答を受けると、タグ用アクセス部１８１はタグ用インタフェース部２２２を介してタグ用メモリ２２１にアクセスし、図５に示す固有情報３２０を取得する（図６のステップＳ２）。
【００４５】
ＣＰＵ１１０は、タグ用アクセス部１８１が取得した固有情報３２０の商品名３２１などに基づき、記録媒体２００の種類を判定する（図６のステップＳ３）。
【００４６】
また、ＣＰＵ１１０は、点灯部３０のうち、判定した記録媒体２００の種類に対応する媒体装填部２０用の点灯部３０を点灯させる（図６のステップＳ４）。
【００４７】
点灯部３０を点灯させると、ＣＰＵ１１０は、その点灯部３０に対応する媒体装填部２０に記録媒体２００が装填されるまで監視する（図６のステップＳ５）。
【００４８】
ここで、図１に示すように、注文受付装置１には多数の媒体装填部２０が設けられているが、記録媒体２０を注文受付装置１に近づけると、その記録媒体２０に合った媒体装填部２０の点灯部３０が点灯する。したがって、ユーザは、記録媒体２００を迷わずに正しい媒体装填部２０に装填することができ、記録媒体２００の破損などを未然に防ぐことができる。
【００４９】
ユーザは、点灯部３０が点灯している媒体装填部２０に記録媒体２００を装填する。
【００５０】
記録媒体２００が正しい媒体装填部２０に装填されると、記録媒体２００に記録されている撮影画像データに基づく撮影画像をプリント出力するための注文処理が開始される（図６のステップＳ６）。
【００５１】
図７は、注文処理を示すフローチャートである。以下では、図７のフローチャートに従って注文処理の説明を行う。
【００５２】
ＣＰＵ１１０は、図４に示すタグ用アクセス部１８１に、ＩＣタグ２２０にアクセスする指示を出す。タグ用アクセス部１８１は、タグ用インタフェース部２２２を介してタグ用メモリ２２１にアクセスし（図７のステップＳ１１）、タグ用メモリ２２１に処理情報３３０がある場合には、その処理情報３３０を取得する。このステップＳ１１の処理は、本発明の画像データ取得方法における処理情報取得過程の一例に相当する。
【００５３】
ここでは、まず、ユーザが新しい記録媒体２００に撮影画像データ３１２を記録しており、記録媒体２００に記録された全ての撮影画像データのプリント出力が未だ行われていない場合について説明する。このとき、タグ用メモリ２２１には固有情報３２０のみ記録されており、処理情報３３０は記録されていない。図７のフローチャートでは、ステップＳ１２：Ｎｏに進み、マニュアルモードにおける注文処理が開始される。
【００５４】
図８は、マニュアルモードにおける注文処理の一連の処理を示すフローチャートである。
【００５５】
ＣＰＵ１１０は、図４に示す画像用アクセス部１８２に、記録媒体２００に記録されている全ての撮影画像データを取得させる。画像用アクセス部１８２は、記録媒体２００の画像用端子２１１を介して画像用メモリ２１０にアクセスし、記録されている全ての撮影画像データ３１２を取得する（図８のステップＳ３１）。このステップＳ３１の処理は、本発明の画像データ取得方法における画像データ取得過程の一例に相当する。
【００５６】
撮影画像データ３１２が取得されると、その撮影画像データ３１２はディスプレイコントローラ１４０を介して表示部１０に送られ、撮影画像データ３１２が表わす撮影画像が表示部１０に表示される（図８のステップＳ３２）。
【００５７】
ユーザは、表示部１０に表示された撮影画像を確認し、タッチパネルを使って、プリント出力を行う撮影画像、プリント枚数、プリントサイズなどを指定する（図８のステップＳ３３）。
【００５８】
ユーザによって指定された注文内容は、注文情報としてＣＰＵ１１０に送られる。ＣＰＵ１１０は、注文情報に示された撮影画像を表わす撮影画像データ３１２を画像補正処理部１６０に送る。画像補正処理部１６０では、撮影画像データ３１２に所定の画像補正処理が施される（図８のステップＳ３４）。
【００５９】
また、ＣＰＵ１１０は、タグ用アクセス部１８１に指示して、タグ用メモリ２２１にアクセスさせる。タグ用アクセス部１８１は、最新読取日３３１として現在日時を書き込み、画像ＩＤ３３２として注文情報に示された撮影画像を表わす撮影画像データ３１２の画像ＩＤ３１１を書き込むことによって、処理情報３３０を生成（すでに処理情報３３０がある場合には、更新）する（図８のステップＳ３５）。このステップＳ３５の処理は、本発明の画像データ取得方法における処理情報更新過程の一例に相当する。
【００６０】
ＣＰＵ１１０は、画像補正処理が終了した撮影画像データ３１２と、ユーザによって指定された注文内容を示す注文情報とを、ネットワークインタフェース１５０を介して画像処理装置２に送る。画像処理装置２では、撮影画像データに所定の画像処理が施される。画像処理が施された撮影画像データはプリンタ３に送られて、プリンタ３でプリント出力される（図８のステップＳ３６）。このステップＳ３６の処理は、本発明の画像データ取得方法における画像データ出力過程の一例に相当する。
【００６１】
また、ＣＰＵ１１０は、注文情報を伝票印刷プリンタ１７０に送る。伝票印刷プリンタ１７０では、注文情報の内容がプリント出力されて、受付伝票が図１に示す受付票プリント口４０から出力される。ユーザは、受付伝票を受け取り、この受付伝票と引き換えに、プリント出力された撮影画像を受け取る。
【００６２】
以上で、マニュアルモードにおける注文処理の説明を終了する。
【００６３】
続いて、既にプリント出力された出力済みの撮影画像データや、プリント出力されていないが、出力済の撮影画像データといっしょに記録媒体に記録されていた撮影画像データなどといった古い撮影画像データと、新たに記録媒体に記録された新しい撮影画像データとが混在して記録されている場合について説明する。
【００６４】
ユーザによって、注文受付装置１に記録媒体２００が装填されると、図７に示す注文処理が開始される。
【００６５】
ＣＰＵ１１０からの指示により、タグ用アクセス部１８１は、タグ用インタフェース部２２２を介してタグ用メモリ２２１にアクセスし（図７のステップＳ１１）、処理情報３３０を取得する。この例では、記録媒体２００に古い撮影画像データ３１２が記録されており、それら古い撮影画像データ３１２がプリント出力されたときに処理情報３３０が生成されている。したがって、図７のステップＳ１２：ＹｅｓからステップＳ１３に進む。
【００６６】
ＣＰＵ１１０は、表示部１０に、予め用意されている注文モード指定用画面を表示させる（図７のステップＳ１３）。
【００６７】
ユーザは、表示部１０に表示された注文モード指定用画面を使って、所望の注文モードを指定する。この例では、記録媒体２００に記録されている新しい撮影画像データに基づく撮影画像を全て所定サイズで１枚ずつプリント出力する新撮影画像プリントモード、新しい撮影画像データに基づく撮影画像のうち、所望の撮影画像を選択してプリント出力する新撮影画像指定モード、前回プリント出力した撮影画像の焼き増しを行う再注文モード、および上記でも説明した、記録媒体２００に記録された全ての撮影画像データ（古い撮影画像データも含む）に基づく撮影画像から、所望の撮影画像を選択してプリント出力するマニュアルモードとを選択することができる。
【００６８】
まずは、図７のステップＳ１４でユーザが新撮影画像プリントモードを指定したものとして説明する。
【００６９】
図９は、新撮影画像プリントモードにおける注文処理を示すフローチャートである。
【００７０】
ＣＰＵ１１０は、タグ用アクセス部１８１に、タグ用メモリ２２１に記録された処理情報３３０を取得させる。また、ＣＰＵ１１０は、画像用アクセス部１８２に、画像用メモリ２１０に記録されている撮影画像データ３１２のうち、撮影日時２１０が処理情報３３０の最新読取日３３１よりも新しい撮影画像データ３１２を取得させる。撮影日時２１０が最新読取日３３１よりも新しいということは、前回注文が行われた後に記録媒体２００に記録されたことを示すため、新しい撮影画像データであることがわかる（図９のステップＳ４１）。
【００７１】
新しい撮影画像データ３１２を取得すると（図９のステップＳ４２）、ＣＰＵ１１０は、それらの撮影画像データ３１２を所定サイズで１枚ずつプリント出力する注文内容を示す注文情報を生成する。
【００７２】
また、ＣＰＵ１１０は、新しい撮影画像データ３１２を画像補正処理部１６０に送る。画像補正処理部１６０では、図８のステップＳ３４と同様の画像補正処理が行われる（図９のステップＳ４３）。
【００７３】
さらに、ＣＰＵ１１０は、タグ用アクセス部１８１に指示し、タグ用メモリ２２１に記録された処理情報３３０の最新読取日３３１に現在日時を書き込ませ、画像ＩＤ３３２に新しい撮影画像データの画像ＩＤ３１１を書き込ませて、処理情報３３０を更新させる（図９のステップＳ４４）。
【００７４】
画像補正処理が終了した新しい撮影画像データと注文情報は、ネットワークインタフェース１５０を介して画像処理装置２に送られ、新しい撮影画像データに基づく撮影画像がプリンタ３でプリント出力される（図９のステップＳ４５）。
【００７５】
このように、本実施形態によると、記録媒体２００を注文受付装置１に装填するだけで、記録媒体２００に記録された撮影画像データのうち、新しい撮影画像データのみを容易にプリント出力することができる。
【００７６】
以上で新撮影画像プリントモードの説明を終了し、続いて、図７のステップＳ１４において、ユーザが新撮影画像指定モードを指定した場合について説明する。
【００７７】
図１０は、新撮影画像指定モードにおける注文処理を示すフローチャートである。
【００７８】
新撮影画像指定モードにおいては、まず、図９に示す新撮影画像プリントモードと同様にして、記録媒体２００に記録された新しい撮影画像データが検出される（図１０のステップＳ５１）。検出された新しい撮影画像データは、画像用アクセス部１８２によって取得される（図１０のステップＳ５２）。
【００７９】
新しい撮影画像データが取得されると、ＣＰＵ１１０は、それらの撮影画像データ３１２を表示部１０に表示させる（図１０のステップＳ５３）。
【００８０】
ユーザは、表示部１０に表示された新しい撮影画像データ３１２に基づく新しい撮影画像を確認し、タッチパネルを使って、プリント出力する撮影画像、プリント枚数、プリントサイズなどを指定する（図１０のステップＳ５４）。
【００８１】
注文内容が指定されると、その注文内容を示す注文情報が生成される。さらに注文情報によって示された撮影画像データ３１２が画像補正処理部１６０に送られ、画像補正処理が行われる（図１０のステップＳ５５）。
【００８２】
また、タグ用アクセス部１８１は、処理情報３３０の最新読取日３３１に現在日時を書き込み、画像ＩＤ３３２に注文情報で示された撮影画像データの画像ＩＤ３１１を書き込んで、処理情報３３０を更新する（図１０のステップＳ５６）。
【００８３】
画像補正処理が施された撮影画像データと注文情報は、ネットワークインタフェース１５０を介して画像処理装置２に送られ、撮影画像データに基づく撮影画像がプリンタ３でプリント出力される（図１０のステップＳ５７）。
【００８４】
このように、本実施形態によると、新しい撮影画像のみを表示部に容易に表示することができ、プリント出力枚数などの指定にかかる手間や、画像を読み取る時間を大幅に削減することができる。
【００８５】
以上で新撮影画像指定モードの説明を終了し、続いて、図７のステップＳ１４において、ユーザが再注文モードを指定した場合について説明する。
【００８６】
図１１は、再注文モードにおける注文処理を示すフローチャートである。
【００８７】
再注文モードにおいては、まず、タグ用アクセス部１８１が、タグ用メモリ２２１に記録された処理情報３３０を取得する。続いて、画像用アクセス部１８２が、画像用メモリ２１０に記録されている撮影画像データ３１２のうち、処理情報３３０の画像ＩＤ３３２に示された画像ＩＤ３１１を有する撮影画像データ３１２を取得する。処理情報３３０の画像ＩＤ３３２には、前回の注文においてプリント出力された撮影画像データ３１２の画像ＩＤ３１１が示されており、この撮影画像データ３１２は再注文の撮影画像データであることがわかる（図１１のステップＳ６１、およびステップＳ６２）。
【００８８】
取得された撮影画像データ３１２は表示部１０に送られ、表示部１０で撮影画像データ３１２に基づく撮影画像が表示される（図１１のステップＳ６３）。
【００８９】
ユーザは、表示部１０に表示された、再注文の撮影画像データに基づく撮影画像を確認し、プリント枚数やプリントサイズなどを指定する（図１１のステップＳ６４）。
【００９０】
再注文の撮影画像データ３１２は画像補正処理部１６０に送られ、画像補正処理が行われる（図１１のステップＳ６５）。
【００９１】
また、この再注文モードにおいては、タグ用メモリ２２１に記録された処理情報３３０の更新は行われない。
【００９２】
ＣＰＵ１１０は、注文内容を示す注文情報を生成する。生成された注文情報と、画像補正処理が施された再注文の撮影画像データは、ネットワークインタフェース１５０を介して画像処理装置２に送られ、撮影画像データに基づく撮影画像がプリンタ３でプリント出力される（図１１のステップＳ６６）。
【００９３】
このように、本実施形態によると、前回プリント出力を注文した撮影画像の焼き増し注文を容易に行うことができる。
【００９４】
ここで、上記では、処理情報を記録するメモリとして、商品情報が記録されたＩＣタグを利用する例について説明したが、本発明にいう第２のメモリは、画像データを記録する記録媒体に新たに設けるものであってもよい。しかし、ＩＣタグは、今後、全ての記録媒体に付与されることが予測され、従来は記録媒体がユーザの手に渡った後には利用されていないため、このＩＣタグを再利用することが好ましい。
【００９５】
また、上記では、処理情報を記録するメモリとして、無線によってアクセスするＩＣタグを使用する例について説明したが、本発明にいう第２のメモリは、コネクタ等を使用してアクセスする記録媒体であってもよい。
【００９６】
また、上記では、本発明にいう「読み取り済みの画像データを示す処理情報」の一例にあたる最新読取日と、本発明にいう「プリント出力済みの画像データを示す処理情報」の一例にあたる、最新読取日にプリント出力した撮影画像の画像ＩＤとを処理情報として記録する例について説明したが、本発明にいう第２のメモリは、「読み取り済みの画像データを示す処理情報」、および「プリント出力済みの画像データを示す処理情報」のうちの少なくとも一方の処理情報が記録されていればよい。例えば、処理情報として、プリント出力した全ての撮影画像の画像ＩＤを処理情報として記録しておく場合、記録媒体に記録された撮影画像データのうち、処理情報として記録された画像ＩＤを除く画像ＩＤを有する撮影画像データを取得することによって、新しい撮影画像データがされる。
【００９７】
また、上記では、ＩＣタグに、最新読取日、前回読取日、および出力済み画像データの画像ＩＤを記録する例について説明したが、本発明にいう処理情報としては、画像データごとに、読取日やプリント出力日、画像補正処理に用いられた補正情報などを記録するものであってもよい。補正情報などを記録しておくことによって、再注文時に効率よく画像補正処理を行うことができる。しかし、上記では、容量が小さいＩＣタグを第２のメモリとして利用したため、画像データごとの読取日や出力日、補正情報などの記録を省く例について説明した。
【図面の簡単な説明】
【００９８】
【図１】本発明の一実施形態が適用された注文受付装置の外観構成図である。
【図２】撮影画像が記録される記録媒体の一例を示す図である。
【図３】注文受付装置の構成ブロック図である。
【図４】注文受付装置に記録メディアが装填されたときの、記録メディアと記録媒体インタフェース部との接続部分を示す構成図である。
【図５】画像用メモリおよびＩＣタグそれぞれに記録されるデータを示す概念図である。
【図６】記録媒体に記録された撮影画像データがプリンタに向けて出力されるまでの一連の処理を示すフローチャートである。
【図７】注文処理を示すフローチャートである
【図８】マニュアルモードにおける注文処理の一連の処理を示すフローチャートである。
【図９】新撮影画像プリントモードにおける注文処理を示すフローチャートである。
【図１０】新撮影画像指定モードにおける注文処理を示すフローチャートである。
【図１１】再注文モードにおける注文処理を示すフローチャートである。
【符号の説明】
【００９９】
１    注文受付装置
２    画像処理装置
３    プリンタ
１０    表示部
１１    操作部
２１，２２，２３，２４，２５    媒体装填部
３１，３２，３３，３４，３５    点灯部
４０    受付票プリント口
１１０    ＣＰＵ
１２１    ＲＯＭ
１２２    ＲＡＭ
１２３    画像メモリ
１３０    拡縮処理部
１４０    ディスプレイコントローラ
１２４    表示メモリ
１５０    ネットワークインタフェース
１６０    画像補正処理部
１７０    伝票印刷プリンタ
１８０    記録媒体インタフェース部
１８１    タグ用アクセス部
１８１Ａ    タグ用制御部
１８１Ｂ    無線部
１８２    画像用アクセス部
１８２Ａ    画像用制御部
１８２Ｂ    インタフェース部
１９０    バス１９０
２００    記録媒体
２１０    画像用メモリ
２１１    画像用端子
２１１Ａ    画像用メモリアクセス部
２１１Ｂ    インタフェース部
２２０    ＩＣタグ
２２１    タグ用メモリ
２２２    インタフェース部
２２２Ａ    タグ用アクセス部
２２２Ｂ    無線部
【図１】
2005267567.tif 000003
【図２】
2005267567.tif 000004
【図３】
2005267567.tif 000005
【図４】
2005267567.tif 000006
【図５】
2005267567.tif 000007
【図６】
2005267567.tif 000008
【図７】
2005267567.tif 000009
【図８】
2005267567.tif 000010
【図９】
2005267567.tif 000011
【図１０】
2005267567.tif 000012
【図１１】
2005267567.tif 000013